(57)【要約】【課題】配線確認試験を単独作業で迅速に実施する。【解決手段】分岐点Ｐ0 以降の電気配線上の任意の試験点が、分岐点以降のどの分岐回路４ａ〜４ｎと対応しているかを試験する配線試験装置において、試験点に設置される子装置と分岐点に設置される親装置１から構成され、子装置及び親装置は、ともに試験対象である電気配線自体を信号伝送路とする電力線搬送通信機能を具備し、親装置は、子装置から分岐回路を経てそれぞれ到来する信号により試験点がどの分岐回路と対応しているかを判定し、判定結果を子装置に返信し、子装置は、前記判定結果を受信し、表示する。【選択図】        図１
2004208431.tif 000002
【特許請求の範囲】
【請求項１】
分岐点以降の電気配線上の任意の試験点が、前記分岐点以降のどの分岐回路と対応しているかを試験する配線試験装置において、前記試験点に設置される子装置と前記分岐点に設置される親装置から構成され、前記子装置及び前記親装置は、ともに試験対象である電気配線自体を信号伝送路とする電力線搬送通信機能を具備し、前記親装置は、前記子装置から前記分岐回路を経てそれぞれ到来する信号により前記試験点がどの分岐回路と対応しているかを判定し、判定結果を前記子装置に返信し、前記子装置は、前記判定結果を受信し、表示することを特徴とする配線試験装置。
【請求項２】
分岐点以降の電気配線上の任意の試験点が、前記分岐点以降のどの分岐回路と対応しているかを試験する配線試験装置において、前記試験点に設置される子装置と前記分岐点に設置される親装置から構成され、前記子装置は、試験対象である電気配線自体を信号伝送路として電力線搬送による信号を前記親装置へ送信し、前記親装置は、前記子装置から前記分岐回路を経てそれぞれ到来する信号により前記試験点がどの分岐回路と対応しているかを判定し、判定結果を前記子装置に無線通信により返信し、前記子装置は、前記判定結果を受信し、表示することを特徴とする配線試験装置。
【請求項３】
前記親装置は、前記子装置から前記分岐回路を経て到来する信号電流により発生する磁束をそれぞれ検出する複数の磁束センサと、該磁気センサの出力レベルを判定識別する判定識別回路とを具備し、最も信号電流レベルの大きい分岐回路を判定することにより、誤判定のない安定した識別結果を得られるようにしたことを特徴とする請求項１または２に記載の配線試験装置。
【請求項４】
前記親装置は、前記子装置から前記分岐回路を経て到来する信号電流をそれぞれ検出する複数の変流器と、該変流器の出力レベルを判定識別する判定識別回路とを具備し、最も信号電流レベルの大きい分岐回路を判定することにより、誤判定のない安定した識別結果を得られるようにしたことを特徴とする請求項１または２に記載の配線試験装置。
【発明の詳細な説明】
【０００１】
【発明の属する技術分野】
本発明は、屋内配線用の分電盤などにおける各分岐回路とコンセントまたは負荷受電端などの電気配線上の任意の試験点との対応を確認試験する配線試験装置の改良に関するものである。
【０００２】
【従来の技術】
建物の改装時には電気配線についての確認試験を工事の前後に実施する。この試験を行う際は、建物使用者側の都合で配線が充電されている場合が多い。
【０００３】
従来のこの種の装置は、コンセント側から信号電流を注入し、分電盤側で各分岐回路に対して信号電流により発生する磁束を検出する磁気センサなどを利用して信号電流の有無を調べるものであった（例えば、特許文献１参照）。
【０００４】
また、各コンセントに異なる値のインピーダンス回路や抵抗回路を接続し、分電盤側の分岐ブレーカの負荷側端子間にインピーダンス値や抵抗値の測定器を接続し、測定結果から各コンセントが指定された分岐ブレーカに正しく接続されているか否かを判別するものもあった（例えば、特許文献２参照）。
【０００５】
【特許文献１】
特許第３２８６２７３号公報
【特許文献２】
特開２００１−３３３５１４号公報
【０００６】
【発明が解決しようとする課題】
上述した従来装置は、いずれも、複数の作業者がコンセント側と分電盤側とに分かれて試験作業を行うか、単独作業者が両地点を移動しながら試験作業を行うものであった。したがって、確認試験時間および費用の低減が求められていたにもかかわらず、結果として、この要求を満足させるものではなかった。また、各分岐回路の信号電流を同時に測定できないので、信号電流の他回路への分流があると、誤判定の生じる可能性があった。
【０００７】
（発明の目的）
本発明の目的は、配線確認試験を単独作業で迅速に実施することができ、確認試験時間および費用の低減を実現することができる配線試験装置を提供することである。
【０００８】
【課題を解決するための手段】
上記目的を達成するために、請求項１記載の本発明は、分岐点以降の電気配線上の任意の試験点が、前記分岐点以降のどの分岐回路と対応しているかを試験する配線試験装置において、前記試験点に設置される子装置と前記分岐点に設置される親装置から構成され、前記子装置及び前記親装置は、ともに試験対象である電気配線自体を信号伝送路とする電力線搬送通信機能を具備し、前記親装置は、前記子装置から前記分岐回路を経てそれぞれ到来する信号により前記試験点がどの分岐回路と対応しているかを判定し、判定結果を前記子装置に返信し、前記子装置は、前記判定結果を受信し、表示することを特徴とするものである。
【０００９】
また、請求項２記載の本発明は、分岐点以降の電気配線上の任意の試験点が、前記分岐点以降のどの分岐回路と対応しているかを試験する配線試験装置において、前記試験点に設置される子装置と前記分岐点に設置される親装置から構成され、前記子装置は、試験対象である電気配線自体を信号伝送路として電力線搬送による信号を前記親装置へ送信し、前記親装置は、前記子装置から前記分岐回路を経てそれぞれ到来する信号により前記試験点がどの分岐回路と対応しているかを判定し、判定結果を前記子装置に無線通信により返信し、前記子装置は、前記判定結果を受信し、表示することを特徴とするものである。
【００１０】
【発明の実施の形態】
図１及び図２は、本発明の一実施形態である配線試験装置を示すブロック図であり、配線試験装置は、図１の親装置（分電盤側装置）と図２の子装置（コンセント側装置）から構成される。図１に示される親装置１は、分電盤２における分岐点Ｐ0 に設置されるものである。分電盤２において、分岐点Ｐ0 は主幹ブレーカ３を介して電源側に接続され、分岐点以降の各分岐回路４ａ，４ｂ，……４ｎには該分岐回路をオン／オフするための分岐ブレーカ５ａ，５ｂ，……５ｎが設けられる。各分岐回路４ａ，４ｂ，……４ｎには、磁束センサ６ａ，６ｂ，……６ｎ（または変流器でも良い）が設けられ、磁気センサ６ａ，６ｂ，……６ｎは、子装置から分岐回路４ａ，４ｂ，……４ｎを経て到来する信号電流により発生する磁束を検出する。これらの磁気センサ６ａ，６ｂ，……６ｎは、親装置１の一部を構成する。
【００１１】
親装置１は、複数の磁気センサ６ａ，６ｂ，……６ｎの他に、磁気センサ６ａ，６ｂ，……６ｎの出力レベルのうちの最大のものに対応する分岐回路を判定識別する判定識別回路７と、識別された分岐回路の回路番号（磁気センサの番号としても良い）をデータとして出力する制御回路８と、制御回路８から与えられるデータを識別された当該分岐回路を含む電気配線全体に電力線搬送による電圧信号として送信する信号送信回路９とを具備している。電圧信号は、商用周波数より高い搬送波周波数のものであり、分岐回路の回路番号により変調されたものである。電源回路１０は活線状態で電気配線の交流電源電圧を所定電圧の直流電源電圧に変換し、親装置１の各部に供給するものである。また、もっと多くの試験点を試験する場合には、親装置１の増設インターフェイスに増設分の判定識別回路と磁気センサを接続する。
【００１２】
外部バッテリー１１は電気配線の無充電状態で配線試験を行う場合に親装置１の各部に電源を供給するものである。
【００１３】
図２に示される子装置１２は、分岐点以降の電気配線上の任意の試験点、例えばコンセントや負荷受電端に設置されるものである。子装置１２は、電力線搬送による電流信号を分岐回路４ａ，４ｂ，……４ｎを経て親装置１へ送信する信号送信回路１３と、親装置１から分岐回路４ａ，４ｂ，……４ｎを経て到来する電圧信号を受信する信号受信回路１４と、送信起動のための操作部１５と、当該試験点（子装置１２）が対応する分岐回路の回路番号を表示する表示部１６と、操作部１５の送信起動のための操作に応じて信号送信回路１３に電流信号を送信させ、また、信号受信回路１４により受信された分岐回路の回路番号を表示部１６に表示させる制御回路１７とを具備している。電流信号は、商用周波数より高い搬送波周波数のものであり、無変調の信号であって、各子装置に共通に使用されるものである。電源回路１８は、活線状態の電気配線の交流電源電圧を所定電圧の直流電源電圧に変換し、子装置１２の各部に供給するものであり、外部バッテリー１９は、電気配線の無充電状態で配線試験を行う場合に子装置１２の各部に電源を供給するものである。なお、操作部１５は、作業者の操作を必要とせずに、子装置１２に電源が与えられることに応じて自動的に送信起動をかけるようなものも含む。
【００１４】
以上の装置構成の動作を図３を参照しながら説明する。なお、配線試験時には、分電盤２の分岐ブレーカ５ａ，５ｂ，……５ｎは必ずオンの状態にされる。
【００１５】
まず、分岐回路４ａに対応するＡコンセントに子装置１２が接続されると、操作部１５により送信起動がかかる。制御回路１７は信号送信回路１３を動作させ、信号送信回路１３は、一定時間間隔で無変調の電流信号を当該子装置が接続されている分岐回路上の交流電源電流に重畳させて親装置１へ送信する。図３は、最初２回の電流信号が、他の分岐回路への分流や雑音の存在などの悪い電力線搬送環境により、親装置１に受信されない例を示している。３回目の電流信号が送信された時の電力線搬送環境が良好であったとすると、分電盤２内の分岐回路４ａに信号電流が流れることにより、磁気センサ６ａが信号電流の大きさに応じた出力を発生し、判定識別回路７に対して出力する。Ａコンセントに接続された子装置１２から電流信号は他の分岐回路４ｂ〜４ｎにも分流し、それらの磁気センサ６ｂ〜６ｎにも出力を発生するが、これらは磁気センサ６ａの出力レベルよりかなり小さいので、判定識別回路７は最も大きい出力レベルのものが磁気センサ６ａすなわち分岐回路４ａであると判定識別し、その回路番号を制御回路８に伝える。制御回路８は信号送信回路９を動作させ、信号送信回路９は、回路番号により変調された電圧信号を分岐回路４ａ〜４ｎ上の交流電源電圧に重畳させて子装置１２へ返信する。
【００１６】
Ａコンセントに接続された子装置１２の信号受信回路１４が親装置１から返信された電圧信号を受信し、回路番号を復調すると、制御回路１７は、復調した回路番号を表示部１６に表示させると共に、信号送信回路１３による送信動作を停止させる。作業者は表示部１６に表示された回路番号を見て、Ａコンセントの分岐回路の回路番号と一致しているのを確認した後、子装置１２を分岐回路４ｂに対応するＢコンセントに移動する。以下同様にして、順次ＢコンセントからＮコンセントまで配線試験作業が実施される。
【００１７】
以上説明したように、作業者は、親装置１を分岐点Ｐ0 （分電盤２）に設置した後は、子装置１２の側で作業すれば済むので、分岐点Ｐ0 以降の分岐回路４ａ〜４ｎと試験点（Ａコンセント〜Ｎコンセントまたは負荷受電端）の対応を試験点側での単独作業により、迅速かつ確実に実施することができる。また、最も信号電流レベルの大きい分岐回路を判定識別するようにしているので、誤判定のない安定した識別結果を得ることができる。
【００１８】
図４及び図５は本発明の他の実施形態を示すブロック図である。図１〜３に示される実施形態は、親装置１から子装置１２への返信にも電力線搬送による通信を使用するものであるが、図４及び５に示される実施形態は、親装置１から子装置１２への返信に無線通信を使用する点で相違するものである。親装置２０は無線送信回路２１及びアンテナ２２を有し、子装置２３はアンテナ２４及び無線受信回路２５を有する。本実施形態でも、同様の機能、同様の効果を実現することができる。
【００１９】
また、停電の場合や主幹ブレーカ３がオフの場合には、商用周波電源の代わりに外部バッテリー１１，１９（特殊のコンデンサなどによる補助電源手段でも可）を用いることにより、同様の配線確認試験を行うことができる。
【００２０】
【発明の効果】
以上説明したように、本発明によれば、配線確認試験を単独作業で迅速に実施することができ、確認試験時間および費用の低減を実現することができる。
【図面の簡単な説明】
【図１】本発明の一実施形態である配線試験装置の親装置を示すブロック図である。
【図２】同じく子装置を示すブロック図である。
【図３】図１及び２の配線試験装置の動作行程を示す図である。
【図４】本発明の他の実施形態である配線試験装置の親装置を示すブロック図である。
【図５】同じく子装置を示すブロック図である。
【符号の説明】
１，２０  親装置
２  分電盤
３  主幹ブレーカ
４ａ〜４ｎ  分岐回路
５ａ〜５ｎ  分岐ブレーカ
６ａ〜６ｎ  磁気センサ
７  判定識別回路
８  制御回路
９  信号送信回路
１２，２３  子装置
１３  信号送信回路
１４  信号受信回路
１５  操作部
１６  表示部
１７  制御回路
２１  無線送信回路
２５  無線受信回路
【図１】
2004208431.tif 000003
【図２】
2004208431.tif 000004
【図３】
2004208431.tif 000005
【図４】
2004208431.tif 000006
【図５】
2004208431.tif 000007